(57)【要約】  【課題】  いびきの主な原因となる睡眠中に気道が狭くなったり、睡眠中に舌が沈んで上気道を閉じるのは、就寝中顔面がほぼ天井方向である上を向いているときに多く、そのときに激しいいびきを発生したり、さらにそれが原因で呼吸が周期的に止まる睡眠時無呼吸症候群となることを防ぐことと、実施にあたっては安価であって、日常の使用において何の抵抗も無く、取り扱いも非常に簡単で、効果的にいびきを防止し、かつ安全なものであることを提供することを目的としている。  【解決手段】  いびき防止装置は、底板と、この底板の上に左右方向に揺動自在に設置された揺動板と、いびきを探知する音声探知センサと、当該音声探知センサからの信号に基づき揺動板を制御する制御装置と、揺動板を揺動駆動する駆動機構と、からなることを特徴としている。【選択図】図６
2005118241.tif 000002
【特許請求の範囲】
【請求項１】
底板と、この底板の上に左右方向に揺動自在に設置された揺動板と、いびきを探知する音声探知センサと、当該音声探知センサからの信号に基づき揺動板を制御する制御装置と、揺動板を揺動駆動する駆動機構と、からなることを特徴とするいびき防止装置。
【請求項２】
底板に設けられた電気モータと、当該電気モータによって回転するアーム部と、当該アーム部に設けられた軸部とを揺動板に設けられた長穴部と回転揺動自在に嵌合設置してなるクランク機構、もしくは当該軸部に設けられた回転自在のクランクアームと当該揺動板に設けられた回転軸部とを回転自在に嵌合設置してなるクランク機構、とからなる駆動機構を特徴とする請求項１記載のいびき防止装置
【請求項３】
揺動板に設けられた送りネジ穴部と、当該送りネジ穴部に嵌合挿入された回動自在の送りネジと、当該送りネジを回転させる電気モータによって揺動板を揺動駆動する駆動機構と、からなることを特徴とする請求項１記載のいびき防止装置
【請求項４】
リモートコントローラに駆動機構を制御するための制御装置を備え、音声探知センサもしくは音声探知センサと当該音声探知センサの感度調節機能を内蔵したことを特徴とする請求項１、請求項２、請求項３に記載のいびき防止装置
【請求項５】
揺動板に枕を積載する為の着脱自在の枕積載部を持つことを特徴とする請求項１、請求項２、請求項３、請求項４に記載のいびき防止装置
【発明の詳細な説明】
【技術分野】
【０００１】
この発明は枕に関し、特に就寝時に於いていびきの防止を行うことができるいびき防止装置に関する。
【背景技術】
【０００２】
一般的に就寝中の人の上気道は起床時よりも狭くなっている。これは睡眠によって顎の筋肉の緊張がとけて気道が狭くなったり、睡眠中に舌が沈んで上気道を閉じたりして、就寝中に激しいいびきをだしたり、またひどい場合には呼吸が周期的に止まる睡眠時無呼吸症候群となることがあるが特に効果的な解決策は見出せていない。
【０００３】
従来いびきを防止する方法としては市販薬、いびき防止グッズ、枕、マットレス、ベッド装置、手術等が知られている。
【特許文献１】特開２００３−１９０２００号公報
【特許文献２】特開２０００−２５３９７７号公報
【特許文献３】特開２０００−０２３８１３号公報
【特許文献４】特開２００３−０１０２５９号公報
【０００４】
しかしながら、グッズ類の多くは毎日の使用において使いづらいものもあり、枕においても個人差などによってその効果が計り知れず、ベッド装置に至っても効果や費用などの面も含めて多く普及するには問題点があり、安価であって、日常の使用において何の抵抗も無く、取り扱いも非常に簡単で、非常に効果的にいびきを防止する有効で、かつ安全なものは従来存在していない。
【発明の開示】
【発明が解決しようとする課題】
【０００５】
解決しようとする問題点は、いびきの主な原因となる睡眠によって顎の筋肉の緊張がとけて気道が狭くなったり、睡眠中に舌が沈んで上気道を閉じるのは、就寝中顔面がほぼ天井方向である上を向いているときに多く、そのときに激しいいびきを発生したり、さらにそれが原因で呼吸が周期的に止まる睡眠時無呼吸症候群となることを防ぐ為に、いかに気道の確保を保つかが本発明の課題である。
【０００６】
また、前出の問題点の解決にあたり、それは安価であって、日常の使用において何の抵抗も無く、取り扱いも非常に簡単で、非常に効果的にいびきを防止する有効で、かつ安全なものであることも本発明の課題である。
【課題を解決するための手段】
【０００７】
上記目的を達成するため、この発明の請求項１に係るいびき防止装置は、底板と、この底板の上に左右方向に揺動自在に設置された揺動板と、いびきを探知する音声探知センサと、当該音声探知センサからの信号に基づき揺動板を制御する制御装置と、揺動板を揺動駆動する駆動機構と、からなることを要旨としている。
【０００８】
本発明のいびき防止装置の大きな特徴は、いびきの主な原因となる就寝中顔面がほぼ天井方向である上を向いている状態を、刺激を与えずに頭部のみを緩やかに横方向に傾けることにあり、横向きに就寝することによって気道の確保ができ、いびきの防止、さらにそれが原因で呼吸が周期的に止まる睡眠時無呼吸症候群になることを防ぐことを要旨としている。
【０００９】
本発明のいびき防止装置は、底板と、この底板の上に左右方向に揺動自在に設置された揺動板と、いびきを探知する音声探知センサと、当該音声探知センサからの信号に基づき揺動板を制御する制御装置と、揺動板を揺動駆動する駆動機構から構成され、揺動板の上に設置された枕に頭部をおいて就寝し、その就寝中顔面がほぼ天井方向である上を向いているときなどに睡眠によって顎の筋肉の緊張がとけて気道が狭くなったり、睡眠中に舌が沈んで上気道を閉じたり、もしくは、気道が何らかのかたちで塞がれるなどして、いびきを発生したときにいびきを探知する音声探知センサが働き、音声探知センサからの信号に基づき揺動板を制御する制御装置が働いて駆動機構を動作させ、揺動板が就寝者を起こすことなく左右方向へ揺動移動し、就寝者の頭部を左右横方向に傾け、横向きに就寝することによって気道の確保ができ、いびきの防止を行うことを要旨としている。
【００１０】
揺動板の動作は揺動板を制御する制御装置の設定でその動作仕様が決定するが、これは、製作時に決めても良いし、使用者がその用途に応じて設定できるようにしても良いし、その両方でも差し支えない。  本発明の趣旨から言えば、たとえば音声探知センサがいびきを探知したとき、揺動板はその揺動板の動作範囲中に数箇所の停止ポイントを決めておいて、次の停止ポイントまで移動して一旦停止し、一定時間音声探知センサがいびきを探知しなければ停止状態を続けるが、一定時間経過後においてもまだ音声探知センサがいびきを探知しているときは再び揺動板が動作して次の停止ポイントへ移行するこの動作を繰り返す。  また、たとえば、音声探知センサがいびきを探知したときは、さらに非常にゆっくりとした速度で揺動板を動作させて就寝者の頭部を緩やかに左右横方向に傾ける揺動動作を行い、音声探知センサがいびきを探知しなくなったときに停止しても良い。  また、そのほかの動作も自由に設定できることが望ましい。
【００１１】
このように本発明のいびき防止装置は、構成がシンプルなので安価で提供でき、日常の使用においては本発明品の揺動板の上に使用者の好みの枕を設置し、制御装置の電源を入れるだけで、就寝中にいびきを出せば自動的に音声探知センサが働き、枕を載せた揺動板が動作し、就寝者の頭部を左右横方向に傾けることによって気道を確保していびきを防ぐ、この動作を自動的に繰り返し、就寝中常にいびきの防止を図り、このように取り扱いも非常に簡単で、自動的にいびき防止動作を行うことにより非常に効果的にいびきを防止できることを要旨としている。
【００１２】
請求項２の発明は、底板に設けられた電気モータと、当該電気モータによって回転するアーム部と、当該アーム部に設けられた軸部とを揺動板に設けられた長穴部と回転揺動自在に嵌合設置してなるクランク機構、もしくは当該軸部に設けられた回転自在のクランクアームと当該揺動板に設けられた回転軸部とを回転自在に嵌合設置してなるクランク機構、とからなる駆動機構と、からなることを特徴とする請求項１記載のいびき防止装置を要旨としている。
【００１３】
本発明のいびき防止装置は、その揺動板の上に使用者の好みの枕を設置して使用されることを考えた場合に、その構成はできうる限り薄く小さく構成されなければならず、また、極力部品点数を少なくして量産性を向上させて故障が少なく、安価で、安全性、操作性に優れたものを提供する事ができる。
【００１４】
揺動板の動作方法およびその構成について、そのクランク機構は揺動板に揺動方向とほぼ垂直に長穴部を設け、その長穴部の内面側と、電気モータによって回転するアーム部に設けられた軸部とを回転揺動自在に嵌合設置し、電気モータが回転すればそのアーム部が回転し、アーム部に設けられた軸部は長穴部の内面側に当接しながら移動する。すなわち揺動板を左右の揺動方向へ押しながら移動させ、揺動端部まで移動しても電気モータが回転し続けるなら今度は反対の揺動方向へ移動する構造で、電気モータの回転は一方向でも揺動板は左右に揺動移動できることを要旨としている。  また、もう一方のクランク機構として揺動板に長穴部を設ける代わりに、アーム部に回転自在にクランクアームを設け、当該クランクアームと揺動板に共有の回転軸部を設けることにより、電気モータの一方向の回転によって、前記同様に揺動板が左右に揺動移動できることを要旨としている。
【００１５】
このような方法により、揺動板を揺動駆動する駆動機構をコンパクトにすることができ、部品点数を減らせること、および、電気モータの回転は一方向の駆動のみでよいのでその制御装置も簡素化が可能となり、全体として安価に提供できることを要旨としている。  また、揺動板を揺動させる駆動力を強化させる為や、速度を設定する為などに電気モータと回転するアーム部の間にギヤを組み合わせたものやその他の可変減速機などを組み込み設置しても差し支えない。
【００１６】
請求項３の発明は、揺動板に設けられた送りネジ穴部と、当該送りネジ穴部に嵌合挿入された回動自在の送りネジと、当該送りネジを回転させる電気モータによって揺動板を揺動駆動する駆動機構と、からなることを特徴とする請求項１記載のいびき防止装置を要旨としている。
【００１７】
本発明のいびき防止装置は、その揺動板の上に使用者の好みの大小様々な枕を設置して使用されることを考えた場合に、その駆動機構の構成はできうる限り薄く小さく、さらに強力な揺動駆動力を持つのが望ましく、これもまた、極力部品点数を少なくして量産性を向上させて故障が少なく、安価で、安全性、操作性に優れたものを提供する事を要旨としている。
【００１８】
揺動板の動作方法およびその構成について、特に強力な揺動板の揺動駆動力を持たせる場合に、揺動板に設けられた送りネジ穴部と、当該送りネジ穴部に嵌合挿入された回動自在の送りネジの減速力により、電気モータによって揺動板を揺動駆動する駆動力を直接揺動板に伝え、揺動板に設置される使用者の好みの大小様々な枕に対してしっかりと揺動駆動力を行えることを要旨としている。  また、揺動板を揺動させる駆動力をさらに強化させる為や、速度を設定する為などに電気モータと送りネジとの間にギヤを組み合わせたものやその他の可変減速機などを組み込み設置しても差し支えない。
【００１９】
請求項４の発明は、リモートコントローラに駆動機構を制御するための制御装置を備え、音声探知センサもしくは音声探知センサと当該音声探知センサの感度調節機能を内蔵したことを特徴とする請求項１、請求項２、請求項３に記載のいびき防止装置を要旨としている。
【００２０】
本発明のいびき防止装置は、駆動機構を制御するための制御装置をリモートコントローラとして、底板と、この底板の上に左右方向に揺動自在に設置された揺動板と、いびきを探知する音声探知センサと、当該音声探知センサからの信号に基づき揺動板を制御する制御装置と、揺動板を揺動駆動する駆動機構と、からなっているいびき防止装置本体部から、いびきを探知する音声探知センサと、当該音声探知センサからの信号に基づき揺動板を制御する制御装置またはその一部を別に取り出したもので、音声探知センサの感度の向上と、操作性を向上させること、さらに、当該音声探知センサの感度調節機能を内蔵することにより、いびき防止装置本体部に内蔵するときよりも一層の良い精度でいびきを探知でき、すばやくその調整が可能となることを要旨としている。
【００２１】
音声探知センサの感度調節機能は、就寝時の周囲の雑音で誤っていびきと誤認しないように、その周囲の雑音に応じて音声探知センサの感度調節を行えるようにするもので、就寝時の周囲の環境が静かなときからそうでない時まで自由に設定が行えることができる。
【００２２】
請求項５の発明は、揺動板に枕を積載する為の着脱自在の枕積載部を持つことを特徴とする請求項１、請求項２、請求項３、請求項４に記載のいびき防止装置を要旨としている。
【００２３】
揺動板の上に使用者が好みの大小様々な枕を設置して使用するときに、枕をしっかりと揺動板の上に設置できるように枕積載部を設け、枕積載部は揺動板に着脱自在にしっかりと固定できるように構成して設けることを要旨としている。
【発明の効果】
【００２４】
本発明のいびき防止装置によれば、いびきの主な原因となる睡眠によって顎の筋肉の緊張がとけて気道が狭くなったり、睡眠中に舌が沈んで上気道を閉じるのは、就寝中顔面がほぼ天井方向である上を向いているときに多く、そのときに激しいいびきを発生したり、さらにそれが原因で呼吸が周期的に止まる睡眠時無呼吸症候群となることを防ぐ為に、就寝者の頭部をゆっくりと左右横方向に傾け、横向きに就寝させることによって気道の確保をし、いびきの防止を行う。
【００２５】
また、本発明のいびき防止装置は、構成がシンプルなので安価で提供でき、日常の使用においても本発明品に使用者の好みの枕を設置して、制御装置の電源を入れるだけで、就寝中にいびきを出せば自動的に音声探知センサが働き、枕を載せた揺動板が動作し、就寝者の頭部を左右横方向に傾けることによって気道を確保していびきを防ぐ、この動作を自動的に繰り返し、就寝中常にいびきの防止を図り、このように取り扱いも非常に簡単で、自動的にいびき防止動作を行うことにより効果的にいびきを防止することができ、いびきも睡眠時無呼吸症候群も防止することができる。
【発明を実施するための最良の形態】
【００２６】
本発明のいびき防止装置は、就寝時に本発明品の揺動板の上に枕を設置し、頭部をのせて睡眠をしたときに、就寝者がいびきを出すといびきを探知する音声探知センサが働き、当該音声探知センサからの信号に基づき揺動板を制御する制御装置が働いて駆動機構を動作させて揺動板が左右方向へ揺動移動し、揺動板の上に設置した枕はゆっくりと左右方向に動いて枕にのせている頭部を横向きにし、気道の確保を行っていびきを防止する。  いびきが止めば動作を停止し、いびきをすればまた動作を行う。  これを自動で繰り返して就寝者には何のリスクも与えずにいびきの防止を行うことを要旨とし、その実施例は以下による。
【００２７】
以下、図面により本発明の実施形態の一例としてのいびき防止装置（０）について説明する。  図１は実施例の外観図における三面図を示し、図１（ａ）は平面図を示し、底板（１）に設置された揺動板（２）と制御装置（３）、制御装置（３）に設けられた音声探知センサ（１７）、音声探知センサの感度調節器（１８）、電源コンセント（２１）、電源スイッチ（２２）が構成されている。  また、図１（ｂ）は正面図を示し、底板（１）よりも若干高く設けられた揺動板（２）が中央部にあり、また、図１（ｃ）は側面図を示し、その中央部に駆動機構（４）が設けられている。
【００２８】
図２は実施例図１の外観図における主要部分の断面図を示した三面図を示し、図２（ａ）は平面図の主要部分の断面図を示し、底板（１）に設置された制御装置（３）の他に、底板（１）の上を滑らかに揺動移動するための回転リング（８）が揺動板（２）に設けられており、電気モータ（５）に取り付けられたアーム部（６）やアーム部（６）に回転自在に設けられた軸部（７）が長穴部（９）に回転揺動自在に嵌合設置されており、また、図２（ｂ）は正面図の主要部分の断面図を示し、図２（ｃ）は側面図の主要部分の断面図を示している。
【００２９】
図１、図２の実施例において、長穴部（９）は揺動板（２）にじかに設けても良いし、位置を変えて設けても良い。  また、アーム部（６）と電気モータ（５）との間に減速機構を設けるのも差し支えない。  揺動板（２）の左右方向への滑らかな移動のための回転リング（８）も、樹脂板などを用いて摺動させるようにしても差し支えなく、また、アーム部（６）に回転自在に設けられた軸部（７）において、ベアリング（１０）などを用いても良い。
【００３０】
図１、図２の実施例においては、揺動部に長穴部（９）を用いたことと、電気モータ（５）に取り付けられたアーム部（６）とそのアーム部（６）に回転自在に設けられた軸部（７）が長穴部（９）に回転揺動自在に嵌合設置されてなることで構成されているが、図３のように長穴部（９）を用いないクランク機構（１３）として、軸部（７）にクランクアーム（１４）を回転自在に設け、そのもう一方の端部に回転軸部（１５）を設け、当該回転軸部（１５）と揺動板（２）とを回転自在に嵌合取り付けして構成することでも差し支えない。
【００３１】
図４は別の実施例の外観図における三面図を示し、図４（ａ）は平面図を示し、底板（１）に設置された揺動板（２）と制御装置（３）が見られ、また、図４（ｂ）は正面図を示し、また、図４（ｃ）は側面図を示し、その中央部に駆動機構（４）が見受けられる。
【００３２】
図５は実施例図４の外観図における主要部分の断面図を示した三面図を示し、図５（ａ）は平面図の主要部分の断面図を示し、底板（１）に設置された制御装置（３）の他に、底板（１）の上を滑らかに揺動移動するための回転リング（８）が揺動板（２）に設けられており、電気モータ（５）に取り付けられた送りネジ（１１）が揺動板（２）に設けられた送りナット（１２）に回動自在に嵌合取り付けされ、電気モータ（５）の正回転、逆回転によって揺動板（２）が左右に揺動移動する。  また、図５（ｂ）は正面図の主要部分の断面図を示し、図５（ｃ）は側面図を示している。
【００３３】
図４、図５の実施例において、送りネジ（１１）と送りナット（１２）を用いて行う揺動板（２）の左右揺動移動は、電気モータ（５）の左右の回転制御が必要ではあるが、その機構自体が減速機構を有しているので減速に必要な部品の削減となり、駆動力の増大と共にコストダウンが図れる。
【００３４】
図６は実施例の見取り図を示す。  本発明品であるいびき防止装置（０）の揺動板（２）の上に枕積載部（１９）を固着し、その上に枕（２０）を積載し、電源コンセント（２１）を投入して電源スイッチ（２２）を入れるといびき防止装置（０）は動作状態となる。
【００３５】
図７は図６の実施例における使用例で、就寝者（２４）が枕（２０）に頭部（２３）をのせて睡眠に入った状態を示している。  図８はこの睡眠中に就寝者（２４）がいびきを出すと、いびきを探知する音声探知センサ（１７）が働き、当該音声探知センサ（１７）からの信号に基づき揺動板（２）を制御する制御装置（３）が働いて駆動機構（４）を動作させ、揺動板（２）が左右どちらかの方向へ揺動移動し、揺動板（２）の上に設置した枕（２０）はゆっくりと一方向に動き、枕（２０）にのせている頭部（２３）は反対方向に回転して横向きになって気道の確保を行い、いびきを防止する。  この後、いびきが止めば動作を停止し、いびきをすればまた今度は図９のように揺動動作を行う。  この揺動動作を自動で繰り返して行い、就寝者（２４）には苦痛を与えたり、睡眠から起こすことなどせず、何のリスクも与えずにいびきの防止を行うことが提供できる。
【００３６】
安全性を向上させるために、揺動板（２）に荷重センサーを設け、就寝者（２４）の頭部（２３）が枕（２０）の上に無いことを検知すればいびき防止装置（０）はその動作を常に停止し、就寝者（２４）の頭部（２３）が枕（２０）の上にあることを検知すればいびき防止装置（０）はその動作を継続、もしくは再開するような構成をさらに制御装置（３）に組み込むことも差し支えない。  これにより、睡眠中に寝返りなどをした場合に就寝者（２４）の頭部（２３）が枕（２０）から脱落した場合に不用意な動作を防止することで安全性を確保することが出来る。
【図面の簡単な説明】
【００３７】
【図１】いびき防止装置の実施例１の外観図における三面図。
【図２】実施例１の外観図における主要部分の断面図を示した三面図。
【図３】その他のクランク機構を用いた実施例２。
【図４】実施例３の外観図における三面図
【図５】実施例３の外観図における主要部分の断面図を示した三面図。
【図６】実施例４の見取り図を示す。
【図７】図６の実施例における使用形態例を示す。
【図８】図６の実施例における使用形態例を示す。
【図９】図６の実施例における使用形態例を示す。
【符号の説明】
【００３８】
（０）    いびき防止装置
（１）    底板
（２）    揺動板
（３）    制御装置
（４）    駆動機構
（５）    電気モータ
（６）    アーム部
（７）    軸部
（８）    回転リング
（９）    長穴部
（１０）  ベアリング
（１１）  送りネジ
（１２）  送りナット
（１３）  クランク機構
（１４）  クランクアーム
（１５）  回転軸部
（１６）  リモートコントローラ
（１７）  音声探知センサ
（１８）  音声探知センサの感度調節器
（１９）  枕積載部
（２０）  枕
（２１）  電源コンセント
（２２）  電源スイッチ
（２３）  頭部
（２４）  就寝者
【図１】
2005118241.tif 000003
【図２】
2005118241.tif 000004
【図３】
2005118241.tif 000005
【図４】
2005118241.tif 000006
【図５】
2005118241.tif 000007
【図６】
2005118241.tif 000008
【図７】
2005118241.tif 000009
【図８】
2005118241.tif 000010
【図９】
2005118241.tif 000011